(57)【要約】【課題】  ディスクに設けられている信号記録層から反射される戻り光が照射されるとともにフォーカス制御動作やトラッキング制御動作に使用される信号を生成するために設けられている光検出器の製造コストを下げることが出来る光ピックアップ装置を提供する。【解決手段】  光検出器をレーザー光を受光する半導体素子が組み込まれた光検出集積回路部品１７と該光検出集積回路部品１７が表面実装される集積回路用印刷配線基板１８とで構成し、該集積回路用印刷配線基板１８と光ピックアップ装置の制御回路が組み込まれている主印刷配線基板２１とをフレキシブル印刷配線基板１９にて接続する。【選択図】  図１
2011096292.tif 000002
【特許請求の範囲】
【請求項１】
レーザーダイオードから放射されたレーザー光を光ディスクに設けられている信号記録層に集光させる対物レンズを備えているとともに該信号記録層から反射される戻り光が照射される光検出器を備えた光ピックアップ装置において、前記光検出器をレーザー光を受光する半導体素子が組み込まれた光検出集積回路部品と該光検出集積回路部品が表面実装される集積回路用印刷配線基板とで構成し、該集積回路用印刷配線基板と光ピックアップ装置の制御回路が組み込まれている主印刷配線基板とをフレキシブル印刷配線基板にて電気的に接続するようにしたことを特徴とする光ピックアップ装置。
【請求項２】
集積回路用印刷配線基板を光ピックアップ装置を構成するハウジングに設けられている固定部に接着固定することによって光検出器のハウジングへの固定を行うようにしたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の再生動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００４】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００５】
図７は前述したＢｌｕ−ｒａｙ規格の光ディスクに記録されている信号の読み出し動作や記録動作を行う機能を備えた光ピックアップ装置の構成を示すものである。同図において、１は例えば波長が４０５ｎｍの青紫色光であるレーザー光を放射するレーザーダイオード、２は前記レーザーダイオード１から放射されるレーザー光が入射される回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【０００６】
３は前記回折格子２を透過したレーザー光が入射される位置に設けられている偏光ビームスプリッタであり、前記１／２波長板２ｂによってＳ偏光光にされたレーザー光の多くを反射し、Ｐ方向に偏光されたレーザー光の全てを透過させる制御膜３ａが設けられている。４は前記レーザーダイオード１から放射されたレーザー光の中の前記偏光ビームスプリッタ３の制御膜３ａを透過したレーザー光が照射される位置に設けられているモニター用光検出器であり、その検出出力は前記レーザーダイオード１から放射されるレーザー光の出力を制御するために使用される。
【０００７】
５は前記偏光ビームスプリッタ３の制御膜３ａにて反射されたレーザー光が入射される位置に設けられている１／４波長板であり、入射されるレーザー光を直線偏光光から円偏光光に、また反対に円偏光光から直線偏光光に変換する作用を成すものである。６は前記１／４波長板５を透過したレーザー光が入射されるとともに入射されるレーザー光を平行光に変換するコリメートレンズであり、収差補正用モーター７によって光軸方向、即ち矢印Ａ及びＢ方向へ変位せしめられるように構成されている。前記コリメートレンズ６の光軸方向への変位動作によって光ディスクＤの保護層の厚さに基づいて生じる球面収差を補正するように構成されている。
【０００８】
８は前記コリメートレンズ６を透過したレーザー光が入射される位置に設けられている立ち上げミラーであり、入射されるレーザー光を対物レンズ９の方向に反射させるように構成されている。前記対物レンズ９は光ディスクＤに設けられている信号記録層Ｌにレー
ザー光を集光させる作用を成すものである。
【０００９】
斯かる構成において、レーザーダイオード１から放射されたレーザー光は、回折格子２、偏光ビームスプリッタ３、１／４波長板５、コリメートレンズ６、立ち上げミラー８を介して対物レンズ９に入射された後、該対物レンズ９の集光動作によって光ディスクＤに設けられている信号記録層Ｌに集光スポットとして照射されるが、前記信号記録層Ｌに照射されたレーザー光は該信号記録層Ｌにて戻り光として反射されることになる。
【００１０】
光ディスクＤの信号記録層Ｌから反射された戻り光は、対物レンズ９、立ち上げミラー８、コリメートレンズ６及び１／４波長板５を通して偏光ビームスプリッタ３の反射膜３ａに入射される。このようにして偏光ビームスプリッタ３の反射膜３ａに入射される戻り光は、前記１／４波長板５による位相変更動作によってＰ方向の直線偏光光に変更されている。従って、斯かる戻り光は前記反射膜３ａにて反射されることはなく、制御用レーザー光Ｌｃとして該反射膜３ａを透過することになる。
【００１１】
１０は前記偏光ビームスプリッタ３の反射膜３ａを透過した制御用レーザー光Ｌｃが入射されるセンサーレンズであり、光検出器１１に設けられている受光部に制御用レーザー光Ｌｃに非点収差を付加させて照射する作用を成すものである。前記光検出器１１には、フォトダイオードにて構成されている周知の４分割センサー等が設けられており、メインビームの照射動作によって光ディスクＤの信号記録層Ｌに記録されている信号の読み取り動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００１２】
前述したように本発明に係る光ピックアップ装置は構成されているが、斯かる構成において、前記対物レンズ９は、光ピックアップ装置の基台に４本または６本の支持ワイヤーによって光ディスクＤの信号面に対して垂直方向、即ちフォーカシング方向への変位動作及び光ディスクＤの径方向、即ちトラッキング方向への変位動作を可能に支持されているレンズ保持枠(図示せず)に固定されている。
【００１３】
前述した対物レンズ９のフォーカシング方向及びトラッキング方向への変位動作は、レンズ保持枠に設けられているフォーカシングコイル及びトラッキングコイルに駆動信号を供給することによって行われるが、斯かるフォーカシング制御動作及びトラッキング制御動作は周知であり、その説明は省略する。
【００１４】
前述したように光ピックアップ装置は構成されているが、斯かる装置において光検出器１１は光ピックアップ装置における信号生成動作、フォーカス制御動作及びトラッキング制御動作を行うための制御信号等を生成するべく設けられているので、光ピックアップ装置を構成するハウジングへの取り付け位置を正確にする必要がある。
【先行技術文献】
【特許文献】
【００１５】
【特許文献１】特開２００３−２５７０６６号公報
【発明の概要】
【発明が解決しようとする課題】
【００１６】
従来一般に行われている光検出器の構成及び光ピックアップ装置の本体であるハウジングへの取り付けについて、図４、図５及び図６を参照にして説明する。
【００１７】
図４は光検出器１１として組み立てられる部品の分解斜視図である。同図において、１２は光検出器１１を構成する基板であり、アルミニュームやガラスエポキシ樹脂にて製造されている。１３はＰＤＩＣと呼ばれる光検出集積回路部品であり、レーザー光を受光して電気信号に変換するフォトダイオードが４分割センサー等の形状にて配置されている。
【００１８】
１４は前記光検出集積回路部品１３から得られる信号等を導出する印刷配線パターンが形成されているとともに該光検出集積回路部品１３が表面実装される印刷配線パターンが表面に形成されているフレキシブル印刷配線基板であり、表面実装部にはレジスト膜が周知のように塗布されている。
【００１９】
図５は前述した構成の光検出器１１を組み立てた状態を示す斜視図であり、その組み立てについて説明する。製造会社では、前記光検出集積回路部品１３から得られる信号等を導出する信号導出用印刷配線パターン及び該光検出集積回路部品１３が表面実装される実装用印刷配線パターンをフレキシブル印刷配線基板１４に形成した後、基板１２の形状に合わせてフレキシブル印刷配線基板１４の外形を型抜きし、その型抜きされたフレキシブル印刷配線基板１４を基板１２に対して熱接着させることによってフレキシブル印刷配線基板１４と基板１２とを組み立てるようにされている。
【００２０】
このようにして基板１２に対して熱接着されたフレキシブル印刷配線基板１４に形成されている実装用印刷配線パターンに対して、前記光検出集積回路部品１３を表面実装することによって光検出器１１は組み立てられ図５に示す状態になる。図６はこのようにして組み立てられた光検出器１１を光ピックアップ装置を構成するハウジング１５に固定した状態を示すものである。
【００２１】
前記光検出器１１のハウジング１５への固定動作は基板１２の裏面を前記ハウジング１５に設けられている固定部に対して接着剤にて接着することによって行われるが、取り付け位置の調整動作は次のように行われる。図６において、１６は光ピックアップ装置におけるフォーカス制御動作やトラッキング制御動作を行うための制御回路が組み込まれている主印刷配線基板であり、前記フレキシブル印刷配線基板１４の端部１４Ａに設けられている接続用パターンを該主印刷配線基板１６に設けられている接続用パターンに半田付けすることによって該主印刷配線基板１６に設けられている制御回路と前記光検出集積回路部品１３とが電気的に接続されるように構成されている。
【００２２】
図６に示した状態において、前記光検出集積回路部品１３に設けられているレーザー光の入射面に対して調整用のレーザー光を照射させながら必要な制御信号が得られるように基板１２の位置を調整し、得られる制御信号が最適な状態になったときに前記基板１２をハウジング１５の固定部に接着固定する動作が行われる。
【００２３】
前述した動作によって従来の光検出器１１の組み立て及び光ピックアップ装置のハウジングへの固定動作は行われるが、斯かる構成では次のような問題がある。即ち、基板１１に対してフレキシブル印刷配線基板１４を熱接着しているが、斯かる熱接着動作は正確に行うことが難しいため品質管理に要するコストが発生し、その結果、納入部品の価格が高くなるという問題がある。また、基板１２の形状に合わせてフレキシブル印刷配線基板１４を製造する必要があるので、フレキシブル印刷配線基板１４の形状が特別になるだけでなくフレキシブル印刷配線基板１４自体の形状が大きくなるという問題がある。
【００２４】
更にフレキシブル印刷配線基板１４に光検出集積回路部品１３を表面実装するための配線パターンを形成するだけでなく高価なレジストを塗布する必要があるので、価格が高くなるという問題がある。また、光ピックアップ装置のハウジングへ基板１２を接着固定しているためフレキシブル基板１４が伸縮した場合に光検出集積回路部品１３の位置にずれ
が発生するという問題がある。
【００２５】
本発明は、斯かる問題を解決することが出来る光ピックアップ装置を提供しようとするものである。
【課題を解決するための手段】
【００２６】
本発明は、レーザーダイオードから放射されたレーザー光を光ディスクに設けられている信号記録層に集光させる対物レンズ及び該信号記録層から反射される戻り光が照射される光検出器を備えた光ピックアップ装置において、前記光検出器をレーザー光を受光する半導体素子が組み込まれた光検出集積回路部品と該光検出集積回路部品が表面実装される集積回路用印刷配線基板とで構成し、該集積回路用印刷配線基板と光ピックアップ装置の制御回路が組み込まれている主印刷配線基板とをフレキシブル印刷配線基板にて電気的に接続するようにしたことを特徴とするものである。
【００２７】
また、本発明は、集積回路用印刷配線基板を光ピックアップ装置を構成するハウジングに設けられている固定部に接着固定することによって光検出器のハウジングへの固定を行うようにしたことを特徴とするものである。
【発明の効果】
【００２８】
本発明の光ピックアップ装置は、光検出器をレーザー光を受光する半導体素子が組み込まれた光検出集積回路部品と該光検出集積回路部品が表面実装される集積回路用印刷配線基板とで構成し、該集積回路用印刷配線基板と光ピックアップ装置の制御回路が組み込まれている主印刷配線基板とをフレキシブル印刷配線基板にて接続するようにしたので、即ち、本発明のフレキシブル印刷配線基板は集積回路用印刷配線基板から得られる信号を主印刷配線基板に設けられている制御回路に導く信号路としてのみに使用するようにしたので、安価なフレキシブル印刷配線基板を使用することが出来、光ピックアップ装置のコストを下げることが出来る。
【００２９】
また、本発明の光ピックアップ装置は、光検出集積回路部品を集積回路用印刷配線基板に対して表面実装するようにするとともに該集積回路用印刷配線基板をハウジングに接着固定するようにしたので、フレキシブル印刷配線基板の伸縮による影響を受けることはなく、光検出集積回路部品のハウジングに対する位置を正確に保持することが出来るという利点を有している。
【図面の簡単な説明】
【００３０】
【図１】本発明に係る光検出器を光ピックアップ装置のハウジングに固定した状態を示す斜視図である。
【図２】本発明に係る光検出器として組み立てられる部品の分解斜視図である。
【図３】本発明に係る光検出器を組み立てた状態を示す斜視図である。
【図４】従来の光検出器として組み立てられる部品の分解斜視図である。
【図５】従来の光検出器を組み立てた状態を示す斜視図である。
【図６】従来の光検出器を光ピックアップ装置のハウジングに固定した状態を示す斜視図である。
【図７】本発明に係る光ピックアップ装置の光学系を示す概略図である。
【発明を実施するための形態】
【００３１】
光ピックアップ装置におけるフォーカス制御動作やトラッキング制御動作を行うために使用されるフォーカスエラー信号やトラッキングエラー信号を生成するために設けられている光検出器から得られる信号の導出動作を行うフレキシブル印刷配線基板の構成を変えることによって光ピックアップ装置の価格上昇を抑えるとともに信頼性を向上させること
が出来る。
【実施例１】
【００３２】
図２は本発明の光ピックアップ装置に組み込まれる光検出器１１として組み立てられる部品の分解斜視図である。同図において、１７はＰＤＩＣと呼ばれる光検出集積回路部品であり、レーザー光を受光して電気信号に変換するフォトダイオードが４分割センサー等の形状にて配置されている。１８は光検出器１１を構成するとともにガラスエポキシ樹脂にて製造されている集積回路用印刷配線基板であり、前記光検出集積回路部品１７を表面実装するための印刷配線パターン、前記光検出集積回路部品１７から得られる検出信号を導出するための印刷配線パターン及び接続用パターンが形成されている。
【００３３】
１９は前記光検出集積回路部品１７から得られる信号を導出する印刷配線パターン及び前記集積回路用印刷配線基板１８に設けられている接続用パターンに半田付けされる接続用パターンが設けられているフレキシブル印刷配線基板である。
【００３４】
図３は前述した構成の光検出器１１を組み立てた状態を示す斜視図であり、その組み立てについて説明する。製造会社では、前記光検出集積回路部品１７を表面実装するための実装用印刷配線パターン、前記光検出集積回路部品１７から得られる検出信号を導出するための印刷配線パターン及び接続用パターンを集積回路用印刷配線基板１８に形成するとともに該接続用パターンに半田付けされる接続用パターンが設けられているフレキシブル印刷配線基板１９を製造し、該フレキシブル印刷配線基板１９に設けられている接続用パターンを集積回路用印刷配線基板１８に設けられている接続用パターンに半田付けすることによって集積回路用印刷配線基板１８とフレキシブル印刷配線基板１９とを電気的に接続することが出来る。
【００３５】
このようにして集積回路用印刷配線基板１８とフレキシブル印刷配線基板１９とが電気的に接続されるが、斯かる状態において前記集積回路用印刷配線基板１８に形成されている実装用印刷配線パターンに前記光検出集積回路部品１７を表面実装することによって光検出器１１は組み立てられ図３に示す状態になる。図１はこのようにして組み立てられた光検出器１１を光ピックアップ装置を構成するハウジング２０に固定した状態を示すものである。
【００３６】
前記光検出器１１のハウジング２０への固定動作は集積回路用印刷配線基板１８の裏面を前記ハウジング２０に設けられている固定部に対して接着剤にて接着することによって行われるが、取り付け位置の調整動作は次のように行われる。図１において、２１は光ピックアップ装置におけるフォーカス制御動作やトラッキング制御動作を行うための制御回路が組み込まれている主印刷配線基板であり、前記フレキシブル印刷配線基板１９の端部１９Ａに設けられて接続用パターンを該主印刷配線基板２１に設けられている接続用パターンに半田付けすることによって該主印刷配線基板２１に設けられている制御回路と前記光検出集積回路部品１７とが電気的に接続されるように構成されている。
【００３７】
図１に示した状態において、前記光検出集積回路部品１７に設けられているレーザー光の入射面に対して調整用のレーザー光を照射させながら必要な制御信号が得られるように集積回路用印刷配線基板１８の位置を調整し、得られる制御信号が最適な状態になったときに前記集積回路用印刷配線基板１８をハウジング２０の固定部に接着固定する動作が行われる。
【００３８】
このように本発明の光ピックアップ装置を構成する光検出器１１のハウジング２０への固定動作を行うようにしたので、即ち前記光検出集積回路部品１７が表面実装される集積回路用印刷配線基板１８をハウジング２０に対して接着固定するようにしたので、光検出
集積回路部品１７を正確な位置に接着固定することが出来るだけでなく、その状態を維持することが出来る。従って、本発明によれば光ピックアップ装置の信号読み取り特性等を最良の状態にて長期間保持することが出来る。
【産業上の利用可能性】
【００３９】
本発明は、Ｂｌｕ−ｒａｙ規格の光ディスクに記録されている信号を読み出すために使用され光ピックアップ装置だけでなくＣＤ規格の光ディスク及びＤＶＤ規格の光ディスクに記録されている信号を読み出すために使用される光ピックアップ装置にも実施することが出来る。
【符号の説明】
【００４０】
１７    光検出集積回路部品
１８    集積回路用印刷配線基板
１９    フレキシブル印刷配線基板
２０    ハウジング
２１    主印刷配線基板
【図１】
2011096292.tif 000003
【図２】
2011096292.tif 000004
【図３】
2011096292.tif 000005
【図４】
2011096292.tif 000006
【図５】
2011096292.tif 000007
【図６】
2011096292.tif 000008
【図７】
2011096292.tif 000009